(57)【要約】【課題】止水材の注入と並行して推進機の回収を行うことを可能とした到達坑口の止水方法および止水構造を提供する。【解決手段】モルタルが充填された取付部１０を到達坑口部４に形成するとともに、第一止水部３０および収容部５０を取付部１０に取り付ける工程と、収容部５０内に水を注入する工程と、推進機２が収容部５０内に進入した後、第一止水部３０内の第一シール部材３２を推進機２後方の推進管３の外周囲に密着させる工程と、収容部５０を解体して推進機２を回収する工程と、取付部１０内のモルタル１３と推進管３との隙間に注入材を注入する工程と、注入材が硬化した後、第一止水部３０を撤去する工程と、を備える。【選択図】図１
2011247037.tif 000002
【特許請求の範囲】
【請求項１】
モルタルが充填された取付部を到達坑口部に形成するとともに、第一止水部および収容部を前記取付部に取り付ける工程と、
前記収容部内に水を注入する工程と、
推進機が前記収容部内に進入した後、前記第一止水部内の第一シール部材を前記推進機後方の推進管の外周囲に密着させる工程と、
前記収容部を解体して前記推進機を回収する工程と、
前記取付部内のモルタルと推進管との隙間に注入材を注入する工程と、
前記注入材が硬化した後、前記第一止水部を撤去する工程と、を備えることを特徴とする、到達坑口の止水方法。
【請求項２】
前記第一止水部と前記収容部との間に第二止水部が介設されており、
前記第一止水部による止水が不十分な場合に、前記第二止水部内に配設された第二シール部材を前記推進管の外周囲に密着させることを特徴とする、請求項１に記載の到達坑口の止水方法。
【請求項３】
前記第一シール部材が、径方向に移動することで前記第一止水部に進入した前記推進機の施工誤差を吸収することを特徴とする、請求項１または請求項２に記載の到達坑口の止水方法。
【請求項４】
推進機の到達坑口部に形成され止水構造であって、
到達坑口部に取り付けられた取付部と、
前記取付部に接続された第一止水部と、
前記第一止水部に接続された収容部と、を備え、
前記取付部にはモルタルが充填されており、かつ、前記推進機後方の推進管の外周囲に接続する注入管が配管されていて、
前記第一止水部は、前記推進機後方の推進管の外周囲に周設される第一シール部材を備えていることを特徴とする、止水構造。
【請求項５】
前記第一止水部と前記収容部との間に第二止水部が介設されており、
前記第二止水部は、当該第二止水部の内周面に沿って配設された第二シール部材を備えていることを特徴とする、請求項４に記載の止水構造。
【請求項６】
前記第一シール部材が、前記推進管の径方向に移動可能に配設されていることを特徴とする、請求項４または請求項５に記載の止水構造。
【請求項７】
到達坑口部に到達した推進機の収容が可能に形成された収容部と、
前記収容部の坑口側に配設された第一止水部と、
前記収容部と前記第一止水部との間に介設された第二止水部と、を備える推進機回収装置であって、
前記第一止水部および前記第二止水部が、それぞれ前記推進機後方の推進管の外周囲に周設されるシール部材を備えていることを特徴とする、推進機回収装置。
【発明の詳細な説明】
【技術分野】
【０００１】
本発明は、推進トンネルの施工時における到達坑口の止水方法、止水構造および推進機回収装置に関する。
【背景技術】
【０００２】
推進工法によりトンネルを構築する場合には、推進機により地中を切削するとともに、この推進機の後方に推進管を配置し、この推進管を利用して推進機を推し進める。
【０００３】
地下水位以深におけるトンネル施工においては、発進坑口や到達坑口での鏡付けの際に、土砂や地下水等が噴出するおそれがある。そのため、土砂や地下水等の噴出を防止するための止水構造が多数開発されている。
【０００４】
例えば、特許文献１には、予め到達坑口にエントランスパイプを配置しておき、このエントランスパイプにより推進機を受け止めることで、到達坑口部における止水性を確保するとともに、推進機の回収を簡易に行うことを可能とした止水構造が開示されている。
【０００５】
この特許文献１の止水構造は、エントランスパイプの口元に取り付けられた詰め部材と、詰め部材内に埋設された注入管を備えており、推進機と推進管が詰め部材を貫通した後、推進管と詰め部材との間の隙間に注入管を介して注入材を注入することで、止水性を確保している。
【先行技術文献】
【特許文献】
【０００６】
【特許文献１】特開２００７−２３５４６号公報
【発明の概要】
【発明が解決しようとする課題】
【０００７】
特許文献１の止水構造によれば、注入材が硬化して止水性を確保した後、エントランスパイプを解体して推進機を回収することを可能としている。
【０００８】
ところが、注入材が硬化するまでの間は作業を進めることができないため、推進機を転用して複数の推進トンネルを構築する場合には、全体工期の短縮化の妨げとなる場合があった。
【０００９】
このような観点から、本発明は、注入材が硬化する前においても推進機の回収を行うことを可能とした到達坑口の止水方法、止水構造および推進機回収装置を提供することを課題とする。
【課題を解決するための手段】
【００１０】
このような課題を解決する本発明に係る到達坑口の止水方法は、モルタルが充填された取付部を到達坑口部に形成するとともに、第一止水部および収容部を前記取付部に取り付ける工程と、前記収容部内に水を注入する工程と、推進機が前記収容部内に進入した後、前記第一止水部内の第一シール部材を前記推進機後方の推進管の外周囲に密着させる工程と、前記収容部を解体して前記推進機を回収する工程と、前記取付部内のモルタルと推進管との隙間に注入材を注入する工程と、前記注入材が硬化した後、前記第一止水部を撤去する工程と、を備えることを特徴としている。
【００１１】
かかる到達坑口の止水方法によれば、第一止水部において、止水性を確保しているため、注入材の注入の機能が発揮される前においても推進機の回収を行うことができる。そのため、推進機を転用して複数のトンネル施工を行う場合において、施工サイクルの短縮化が可能となる。
【００１２】
また、第一シール部材により、注入材の注入範囲が規制されるため、従来の止水方法と比較して注入材の注入量の低減化が可能となる。
さらに、注入材による止水性が確保された後は、第一止水部を回収して転用することができるため、費用の削減が可能となる。
【００１３】
前記到達坑口の止水方法において、前記第一止水部と前記収容部との間に第二止水部が介設されており、前記第一止水部による止水が不十分な場合に、前記第二止水部内に配設された第二シール部材を前記推進管の外周囲に密着させることで、止水を行ってもよい。
【００１４】
かかる到達坑口の止水方法によれば、何らかの原因により、第一止水部による止水性が確保できない場合であっても、第二止水部において止水を行うことができるので、注入材の機能が発揮される前においても推進機の回収を行うことができる。
そのため、従来の止水方法よりも工期の短縮化および施工費用の低減化が可能となる。
【００１５】
また、前記到達坑口の止水方法において、前記第一シール部材が、径方向に移動することで前記第一止水部に進入した前記推進機の施工誤差を吸収するものであれば、推進機に施工誤差が生じた場合であっても、第一止水部による止水性を確保することができる。
【００１６】
本発明の止水構造は、推進機の到達坑口部に形成され止水構造であって、到達坑口部に取り付けられた取付部と、前記取付部に接続された第一止水部と、前記第一止水部に接続された収容部と、を備え、前記取付部にはモルタルが充填されており、かつ、前記推進機後方の推進管の外周囲に接続する注入管が配管されていて、前記第一止水部は、前記推進機後方の推進管の外周囲に周設される第一シール部材を備えていることを特徴としている。
【００１７】
かかる止水構造によれば、注入材による止水性が確保できるまでの間、第一止水部の第一シール部材により止水性を確保することができるため、推進機の回収作業等を注入材の注入作業と同時に行うことができ、工期の短縮化を図ることが可能となる。
【００１８】
また、前記止水構造が前記第一止水部と前記収容部との間に第二止水部が介設されており、前記第二止水部は、当該第二止水部の内周面に沿って配設された第二シール部材を備えていれば、第一止水部とともに二重の止水機能を確保することができるため、優れた止水性を発現できる。
【００１９】
さらに、前記止水構造において、前記第一シール部材が、前記推進管の径方向に移動可能に配設されていれば、推進機の施工誤差を吸収して、第一シール部材による止水性能が低下することを防止できる。
【００２０】
本発明の推進機回収装置は、到達坑口部に到達した推進機の収容が可能に形成された収容部と、前記収容部の坑口側に配設された第一止水部と、前記収容部と前記第一止水部との間に介設された第二止水部と、を備えており、前記第一止水部および前記第二止水部が、それぞれ前記推進機後方の推進管の外周囲に周設されるシール部材を備えていることを特徴としている。
【００２１】
かかる推進機回収装置によれば、第一止水部または第二止水部により止水した状態で、推進機を回収することが可能となる。
【発明の効果】
【００２２】
本発明の到達坑口の止水方法、止水構造および推進機回収装置によれば、止水材の注入と並行して推進機の回収を行うことを可能となる。
【図面の簡単な説明】
【００２３】
【図１】本実施の形態に係る止水構造を示す断面図である。
【図２】図１の止水構造の一部を示す拡大断面図である。
【図３】第一止水部を示す断面図である。
【図４】第二止水部を示す断面図である。
【図５】本実施形態の到達坑口の止水方法を示す断面図である。
【図６】図５に続く到達坑口の止水方法を示す断面図である。
【図７】図６に続く到達坑口の止水方法を示す断面図である。
【図８】図７に続く到達坑口の止水方法を示す断面図である。
【発明を実施するための形態】
【００２４】
本発明の好適な実施の形態について、図面を参照して詳細に説明する。なお、以下の説明において、同一要素には同一の符号を用い、重複する説明は省略する。
【００２５】
本実施形態では、図１に示すように、隣接する大断面トンネルＴ１，Ｔ２同士を連結するように、一方の大断面トンネルＴ１から他方の大断面トンネルＴ２に向けて小断面推進トンネルＴ３を施工する場合において、本発明の到達坑口部の止水方法、止水構造および推進機回収装置を採用する場合について説明する。
【００２６】
止水構造１は、到達坑口部４（他方の大断面トンネルＴ２の覆工に設けられた開口）から他方の大断面トンネルＴ２の坑内へ進入した推進管３に沿って地下水の流入することを防止するとともに、推進機２の早期回収を可能とする。
【００２７】
止水構造１は、到達坑口部４に取り付けられた取付部１０と、取付部１０に接続された推進機回収装置２０と、を備えている。
【００２８】
取付部１０は、他方の大断面トンネルＴ２に形成されるものであり、図２に示すように、取付部本体１１と連結体１２とを備えて構成されている。
【００２９】
取付部本体１１は、到達坑口部４の位置に対応して、他方の大断面トンネルＴ２の覆工内面に固定されている。この取付部本体１１の内部には、モルタル１３が充填されている。
到達坑口部４に到達した推進機２はモルタル１３を貫通して推進機回収装置に進入する。これに伴い取付部本体１１内には、推進機２後方の推進管３が配設される。
【００３０】
取付部本体１１は、推進機２の挿通が可能な寸法を有した断面矩形の鋼製の筒状部材からなる。筒状部材には、モルタル注入口１５と薬液注入口１６とが形成されている。
なお、取付部本体１１の断面形状は限定されるものではなく、例えば円形でもよい。また、取付部本体１１は、推進機２に施工誤差が生じた場合であっても、推進機２の進入が可能となるように、十分な大きさを有して形成されている。また、本実施形態では、薬液注入口１６を２ヶ所有するものとするが、薬液注入口１６の数は限定されるものではなく、１ヶ所でもよい。
【００３１】
取付部本体１１の内部には、内空側（推進機回収装置２０側）の開口部を塞ぐ板材１４が配設されている。
【００３２】
板材１４は、取付部本体１１にモルタル１３を注入する際の注入圧に対して十分な耐力を備えているとともに、推進機２による削孔が可能な部材により構成する。
【００３３】
本実施形態では、推進機２が貫通する際に、推進機２に施工誤差が生じることを防止することを目的として、発泡スチーロール等の比較的柔らかい材質の板材を採用する。また、板材１４は、取付部本体１１にモルタル１３を充填する際の型枠としても機能する。なお、板材１４の材質や板厚等は限定されるものではないが、板材１４が硬い材質だと推進機２が板材１４に当接した際に、掘進方向（軸）がぶれるおそれがあるため、削孔のしやすい柔らかい材質であるのが望ましい。
【００３４】
モルタル１３は、推進機２による削孔が可能な強度であるとともに、取付部１０を挿通した推進管を支持できる強度を備えている。
【００３５】
連結体１２は、取付部本体１１の推進機回収装置２０側に取り付けられた筒状部材である。連結体１２の端部周縁には、推進機回収装置２０と接続するための接続フランジ１２ａが一体に形成されている。本実施形態では、連結体１２の断面が、取付部本体１１の断面よりも小さくなるように形成している。
【００３６】
推進機回収装置２０は、図１に示すように、取付部１０に接続された第一止水部３０と、第一止水部３０に接続された第二止水部４０と、第二止水部４０に接続された収容部５０と、を備えている。第一止水部３０、第二止水部４０および収容部５０は分離可能である。
【００３７】
第一止水部３０は、取付部１０と収容部５０との間に配設されている。
第一止水部３０は、図３に示すように、円筒状の本体部３１と、本体部３１の内部に配設された環状の第一シール部材３２と、シール部材３２を保持する支持リング３３と、本体部３１の地山側の開口に取り付けられた蓋部材３４とを備えている。
【００３８】
本体部３１は、円筒状の鋼材であって、両端にそれぞれ接続フランジ３１ａ，３１ｂが形成されている。
【００３９】
取付部材１０側の第一接続フランジ３１ａには蓋部材３４が固定される。第一接続フランジ３１ａと蓋部材３４との間には、隙間３１ｃが形成されている。
【００４０】
第一接続フランジ３１ａにはトンネルＴ３の軸方向に貫通する複数のボルト孔が形成されており、取付部１０（連結体１２）の接続フランジ１２ａとの締着が可能に構成されている。
【００４１】
隙間３１ｃには、後記する支持リング３３の一部（円板部３３ｂ）が挿入されている。これにより、支持リング３３（第一シール部材３２）は、上下左右（推進管３の径方向）に移動可能に保持されることになる。
【００４２】
また、第一接続フランジ３１ａと蓋部材３４との間には、本体部３１の径方向で進退する３本以上の締め付けボルト３５が等間隔で配設されている。
これらの締め付けボルト３５を隙間３１ｃ内において支持リング３３（円板部３３ｂ）に当接させることで、第一シール部材３２の径方向での移動を拘束する。
【００４３】
第二止水部４０側の第二接続フランジ３１ｂは、環状の板材からなり、本体部３１の端部外面に一体に形成されている。
接続フランジ３１ｂには、複数のボルト孔（図示省略）が形成されている。接続フランジ３１ｂは、ボルト孔に挿入されたボルトにより第二止水部４０と接合される。
【００４４】
第一シール部材３２は、推進管３の外周面に沿って地下水が浸透することを防止する部材であって、第一止水部３０を貫通する推進管３の外周面に密着する。
【００４５】
第一シール部材３２は、環状に形成されたゴム製（樹脂製）のチューブ材により構成されており、推進管３を挿通することができるように、第一シール部材３２の内径は推進管３の外径よりも大きくなっている。
【００４６】
第一シール部材３２には注入管３６が接続されている。第一シール部材３２は、注入管３６を介して内部に注入された液体や気体（本実施形態では水）の圧力により膨張し、推進管３の外周面に密着する（図２参照）。
【００４７】
第一シール部材３２は、支持リング３３を介して第一止水部３０に配設されている。
支持リング３３は、第一シール部材３２が配設されるシール固定部３３ａと、板状の開口付円板部３３ｂと、シール固定部３３ａと円板部３３ｂとの間に介設された調芯部３３ｃと、を備えている。
【００４８】
シール固定部３３ａには、第一シール部材３２を配設するための凹部３３ｄが形成されている。凹部３３ｄは、内空側に開口した環状の溝条である。シール固定部３３ａの構成は限定されるものではないが、本実施形態では環状の鋼材からなる。また、シール固定部３３ａは、調芯部３３ｃを介して円板部３３ｂに一体に固定されている。
【００４９】
円板部３３ｂは、第一止水部の接続フランジ３１ａと蓋部材３４との間に形成された隙間３１ｃに、外周部分が挿入されている。円板部３３ｂは、隙間３１ｃよりも小さい形状からなり、隙間３１ｃ内において、上下左右（径方向）に移動することが可能に構成されている。
円板部３３ｂの中央部には開口しており、推進機２および推進管３の挿通が可能に構成されている。
【００５０】
調芯部３３ｃは、円板部３３ｂからシール固定部３３ａに向かうに従って、内径が縮小するテーパ状を呈した部分である。
【００５１】
このように、第一シール部材３２は、支持リング３３を介して、径方向に移動が可能に配設されているため、推進機２に施工誤差が生じた場合であっても、径方向に移動することで誤差を吸収し、推進管３を挿通するとともに外周面に密着することが可能に構成されている。
【００５２】
第二止水部４０は、図１に示すように、収容部５０と第一止水部３０との間に介設されており、推進機２および推進管３の挿通が可能に構成されている。
【００５３】
第二止水部４０は、図４に示すように、筒状の部材からなる。第二止水部４０の内周面には第二シール部材４１が固定されている。
なお、第二止水部４０の断面形状は、限定されるものではないが、本実施形態では円形とする。
【００５４】
第二シール部材４１は、ゴム製（樹脂製）のチューブ材であって、内部に水を注入することで、第二止水部４０の中心方向に膨張する。推進管３が第二シール部材４１を貫通した状態で第二の止水部材４１を膨張させると、推進管３の外周面に密着する。
【００５５】
第二止水部４０には、第二の止水部材４１に挿通する注水口４２と排気口４３がそれぞれ下部と上部に形成されている。
【００５６】
第二シール部材４１は、注水口４２から水を注水することで膨張するとともに、排気口４３から第二シール部材４１内の空気が排気される。なお、第二シール部材４１内の水を排出する際は、注水口４２と排気口４３との両方を開口することにより行う。
【００５７】
なお、第二シール部材４１への注水は、水道管の水圧を利用して行ってもよいし、ポンプ等により圧入してもよい。また、水に代えて他の液体や気体を第二シール部材４１内に注入することにより膨張させてもよい。
【００５８】
本実施形態では、第二シール部材４１を、カバー材４４を介して固定している。カバー材４４は、鋼製部材により構成されており、第二シール部材４１を覆うように配置され多状態で、ボルト４５により第二止水部４０の内面に締着されている。第二シール部材４１は、カバー材４４に覆われているため、第二止水部４０内に進入した推進機２が接触して破損することが防止されている。
【００５９】
カバー材４４には、軸方向中央部にスリットが形成されており、膨張した第二シール部材４１の一部が第二止水部４０の中心側に突出することが可能に構成されている。第二シール部材４１は、スリットから突出した部分が推進管に密着することで止水を行う。
なお、カバー材４４は必要に応じて設置すればよく、省略してもよい。また、カバー材４４の構成は限定されるものではない。例えば、カバー材４４は、円環状に形成されていてもよいし、複数に分割されていて、部分的に第二シール部材４１を抑えるものであってもよい。
【００６０】
第二止水部４０には、両端の周縁にそれぞれ接続フランジ４０ａ、４０ｂが形成されており、第一止水部３０および収容部５０との接続が可能に構成されている。
【００６１】
収容部５０には、図１に示すように、到達坑口部４に到達し、第一止水部３０および第二止水部４０を貫通した推進機２が収容されるように形成されている。
【００６２】
収容部５０は、複数の部材を組み合わせることにより形成された有底の円筒状部材である。
収容部５０の第二止水部４０側の端部（一方の端部）周縁には、接続フランジが形成されており、第二止水部４０の接続フランジ４０ｂとの定着が可能に構成されている。
【００６３】
また、収容部５０の他方（第二止水部４０と反対側）の端部は、遮蔽されている。さらに、収容部５０には、注水口と排水口とが形成されており、内部への水の注水などが可能に構成されている。
【００６４】
以下、本実施形態の到達坑口の止水方法を説明する。
到達坑口の止水方法は、取付工程と、注水工程と、止水工程と、回収工程と、注入工程と、撤去工程と、を備えている。
【００６５】
取付工程では、まず、図５に示すように、他方のトンネルＴ２の到達坑口部４に取付部１０を形成し、続いて、図６に示すように、取付部１０に推進機回収装置２０を設置する。
なお、他方の大断面トンネルＴ２の到達坑口部４の開口は、セグメント製作時にモルタル４ａを打設することにより閉塞されている。これにより、推進機２による切削が可能となる。
【００６６】
取付部１０の形成は、取付部本体１１を到達坑口部４に固定した後、この取付部本体１１の内部にモルタル注入口１５からモルタル１３を充填することにより行う。このとき、取付部本体１１と連結体１２との境界部は、板材１４により遮蔽されているため、モルタル１３が連結体１２に流出することが防止されている。
なお、モルタル１３の取付部本体１１内への注入は、取付部１０に推進機回収装置２０を連結した後に行ってもよい。
【００６７】
一方のトンネルＴ１の発進坑口部５には、発進側取付部６０を形成する。発進側取付部６０の構成は限定されるものではないが、本実施形態では、内部にモルタル１３を充填しておく。
【００６８】
次に、推進機回収装置２０の取付部１０への連結を行う。推進機回収装置２０の設置は、第一止水部３０、第二止水部３０および収容部５０を順次連結することにより行う。
なお、予め第一止水部３０、第二止水部４０および収容部５０が連結された状態で取付部１０に連結してもよい。
【００６９】
なお、取付工程は、発進坑口からの推進トンネルの施工を開始する前に行ってもよいし、施工中に行ってもよい。
【００７０】
注水工程は、推進機回収装置２０の収容部５０内に水を注入する工程であり、推進機２が到達坑口部４に到達する前に行われる（図６参照）。
【００７１】
収容部５０への注水は、収容部５０に形成された注水口から行う。本実施形態では、水道水を注水するが、収容部５０に注水される水は限定されない。
収容部５０内に水を充填しておくことで、推進機２が到達した際に、地下水が推進機回収装置２０内に流入すること防止することが可能となる。
【００７２】
止水工程は、図７に示すように、水が充填された収容部５０内に推進機２が進入した後に行われる工程である。止水工程では、第一止水部３０内の第一シール部材３２を推進機２後方の推進管３の外周囲に密着させて止水を行う。
【００７３】
止水工程では、音により推進機２の位置を確認しつつ、推進機２の先端部が第一止水部３０内に進入（支持リング３３に当接する）するタイミングで、締め付けボルト３５（図３参照）を緩める。これにより支持リング３３の径方向での移動が可能となる。
【００７４】
第一止水部３０に進入した推進機２に施工誤差があった場合でも、支持リング３３は、調芯部３３ｃのテーパに沿って移動する。そのため、推進機２の軸心と第一シール部材３２の中心とを略一致させることが可能となる。
【００７５】
推進機２の軸心と第一シール部材３２の中心とが略一致したら、締め付けボルト３５により支持リング３３を固定する。
そして、推進機２が収容部５０に到達し、第一止水部３０内に推進管３が配置されたら、第一シール部材３２の内部に水を圧入して推進管３の外周面に第一シール部材３２を密着させる。これにより、第一シール部材３２による止水が完了する。
【００７６】
回収工程は、収容部５０を解体して推進機２を回収する工程である（図８参照）。
【００７７】
回収工程では、まず、収容部５０から排水を行い、第一止水部３０による止水性の確認を行う。排水に多量の泥水が混入しているのが確認された場合、あるいは、泥水が継続して排出された場合は、第一止水部３０による止水が不十分な可能性があるため、第二止水部３０内に配設された第二シール部材４１を膨張させて、推進管３の外周囲に密着させることで止水を行う。
【００７８】
止水が確認できたら、図８に示すように、収容部５０を解体し、推進機２を回収する。
【００７９】
注入工程は、取付部１０内のモルタル１３と推進管３との隙間に注入材を注入する工程である。
【００８０】
注入工程は、回収工程と並行して行う。なお、注入工程および回収工程を実施する順序は限定されるものではない。
【００８１】
注入工程では、取付部本体１１内に推進管３が配設されたら、薬液注入口１６から注入材１７を注入することで、モルタル１３と推進管３との間の隙間を充填する（図２参照）。
なお、取付部１０内に注入される注入材は、止水性を確保することが可能なものであれば限定されるものではなく、適宜選定して使用することが可能である。
【００８２】
撤去工程は、取付部１０に注入された注入材が硬化した後、第一止水部３０および第二止水部４０を撤去する工程である。
なお、回収工程において、第一止水部３０による止水が確認された場合には、収容部５０の解体とともに第二止水部４０を撤去してもよい。
【００８３】
以上、本実施形態の止水構造および到達坑口の止水方法によれば、第一止水部３０または第二止水部４０により早期に止水を行うことを可能としているため、取付部１０に注入された注入材の固化（注入材の機能が発現すること）を待つことなく、到達坑口部４に到達した推進機２を早期に回収することができる。
そのため、推進機２を転用して複数のトンネル施工を行う場合であっても、全体の工期を短縮することが可能となる。
【００８４】
また、第二止水部４０を備えていることにより、何らかの原因により第一止水部３０により止水性が確保できない場合であっても、推進機２の回収作業が中断されることなく、実施することができる。
【００８５】
第一止水部３０の第一シール部材が、推進機２の位置に応じて径方向で移動するため、推進管３への密着度が低下することがなく、止水性を維持することができる。
【００８６】
取付部１０の第一止水部３０側端部に比較的柔らかい材質の板材１４が配設されているため、トンネル貫通時に推進機２の方向がぶれることなく、高品質施工を行うことができる。
【００８７】
推進機回収装置２０内に水が予め注入されていることで、トンネル貫通時に、推進機２とともに地下水や土砂が流入することが防止されている。そのため、第一止水部３０内に土砂が流入して推進管３と第一シール部材３２との間に土砂が挟まって止水性が低下することが防止されている。
【００８８】
以上、本発明について、好適な実施形態について説明したが、本発明は前記各実施形態に限られず、本発明の趣旨を逸脱しない範囲で適宜変更が可能である。
【００８９】
前記実施形態では、トンネルから隣接する他のトンネルに接続する推進トンネルの施工に本発明を採用する場合について説明したが、本発明はこれに限定されるものではなく、あらゆる湧水が予想される推進工法に採用可能である。
【００９０】
また、前記実施形態では、第二止水部４０を配置する場合について説明したが、第二止水部は必要に応じて配設すればよく、省略してもよい。
また、収容部５０の分割数は限定されるものではない。
【００９１】
また、シール部材として、チューブ材を使用したが、推進管３の外周面に密着して止水することが可能であればシール部材の構成は限定されるものではない。例えば、リップシールでもよいし、内面に沿って貼り付けられたゴム板を使用し、内壁面とゴム板との間に水等を注入することでゴム板を膨張させるものとしてもよい。
【００９２】
板材１４の板厚を大きくすることで、モルタルの注入量を少なくしてもよい。
【符号の説明】
【００９３】
１    止水構造
２    推進機
３    推進管
４    到達坑口部
１０  取付部
１３  モルタル
２０  推進管回収装置
３０  第一止水部
３２  第一シール部材
４０  第二止水部
４１  第二シール部材
５０  収容部
【図１】
2011247037.tif 000003
【図２】
2011247037.tif 000004
【図３】
2011247037.tif 000005
【図４】
2011247037.tif 000006
【図５】
2011247037.tif 000007
【図６】
2011247037.tif 000008
【図７】
2011247037.tif 000009
【図８】
2011247037.tif 000010